(57)【要約】【課題】キーホルダーの不用意な脱落を防止することのできるキー保持装置を提供することにある。【解決手段】ケース本体１２内に設けられたフック部４８をキー保持部としてキーホルダーＨを着脱自在に設けたキー保持装置１５であって、前記キーホルダーＨは、フック部４８が挿入される挿入孔５３を備えて構成されている。フック部４８の外周に凸部を形成することによって脱落規制部５２が形成されており、この脱落規制部５２を乗り越えた位置でキーホルダーＨがフック部４８に所定姿勢で吊り下げられた状態となり、この状態で、キーホルダーＨの意図しない脱落が規制されるようになっている。【選択図】図９
2009084852.tif 000002
【特許請求の範囲】
【請求項１】
ケース本体内に設けられたキー保持部に、キーホルダーを着脱自在に設けたキー保持装置において、
前記キー保持部はフック部を備えている一方、前記キーホルダーは、前記フック部が挿入される挿入孔を備え、
前記フック部と挿入孔との間には、前記キーホルダーが所定姿勢に吊り下げられた状態で、当該キーホルダーの脱落を規制する脱落規制部が設けられていることを特徴とするキー保持装置。
【請求項２】
前記脱落規制部は、前記フック部に凸部を形成することによって形成され、当該脱落規制部を強制的に乗り越える位置まで前記挿入孔にフック部が挿入されたときに前記キーホルダーの脱落を規制することを特徴とする請求項１記載のキー保持装置。
【請求項３】
前記挿入孔は略方形をなし、前記挿入時に脱落規制部側に相対する孔の形成縁は、内側に向かって曲面状に膨出した形状に設けられていることを特徴とする請求項１又は２記載のキー保持装置。
【発明の詳細な説明】
【技術分野】
【０００１】
本発明はキー保持装置に係り、更に詳しくは、キーホルダーをフック部に引っ掛けて吊り下げた状態で、前記キーホルダーがフック部から不用意に抜け出てしまうことのないキー保持装置に関する。
【背景技術】
【０００２】
オフィス等におけるロッカー、書庫の扉キー、机の引き出しキー等は、所轄部門において一括管理することが行われている。この管理は、個々のキーの属性が一見して把握できる状態で、キー管理ケース内に収納することにより行われている。
特許文献１には、前面側を出し入れ口として形成されたケースと、当該ケース内に位置するパネルに取り付けられたキー保持装置とを備えたキー管理ケースが開示されている。キー保持装置は前面側に設けられた溝にフックを装着可能とし、当該フックにキーホルダーを引っ掛けて保持することができるようになっている。
【特許文献１】特公昭４５−２３９９９号公報
【発明の開示】
【発明が解決しようとする課題】
【０００３】
しかしながら、特許文献１に開示されたキー保持装置にあっては、前記フックにキーホルダーを引っ掛けるだけの構成であり、従って、キー管理ケースを横置きしたり、或いは天地が反転したような場合に、フックからキーホルダーが抜け出てしまい、ケース内でキーがばらばらに散乱してしまう、という不都合がある。
【０００４】
［発明の目的］
本発明は、このような不都合に着目して案出されたものであり、その目的は、キーホルダーの不用意な脱落を防止することのできるキー保持装置を提供することにある。
【課題を解決するための手段】
【０００５】
前記目的を達成するため、本発明は、ケース本体内に設けられたキー保持部に、キーホルダーを着脱自在に設けたキー保持装置において、
前記キー保持部はフック部を備えている一方、前記キーホルダーは、前記フック部が挿入される挿入孔を備え、
前記フック部と挿入孔との間には、前記キーホルダーが所定姿勢に吊り下げられた状態で、当該キーホルダーの脱落を規制する脱落規制部が設けられる、という構成を採っている。
【０００６】
本発明において、前記脱落規制部は、前記フック部に凸部を形成することによって形成され、当該脱落規制部を強制的に乗り越える位置まで前記挿入孔にフック部が挿入されたときに前記キーホルダーの脱落を規制するように設けるとよい。
【０００７】
また、前記挿入孔は略方形をなし、前記挿入時に脱落規制部側に位置する孔の形成縁は、内側に向かって曲面状に膨出した形状に設けられている。
【０００８】
なお、本明細書における方向若しくは位置を示す用語、例えば、「前」、「後」、「左」、「右」等は、図１に示される蓋体を正面側から見た場合を基準として用いられる。
【発明の効果】
【０００９】
本発明によれば、フック部に脱落規制部が設けられているため、キーホルダーが所定姿勢に吊り下げられたときに、何らかの要因でフック部の向きが反転するようなことがあっても、キーホルダーがフック部から抜け出てしまうような不都合は生じない。従って、複数のフック部にキーホルダーをそれぞれ吊り下げた集中管理方式を採用した場合において、前記抜け出しにともなってキーがばらばらになってしまうようなことはない。
また、前記フック部に凸部を形成して脱落規制部とした構成により、既存形状に僅かな形状変更を行うだけで足り、構造を複雑にすることもない。
更に、キーホルダーの挿入孔を形成する孔は、前記脱落規制部側の形成縁が内側に向かって曲面状に膨出した形状であるため、前記脱落規制部を乗り越える際の抵抗が極端に大きくなることはなく、適度なクリックによってキーホルダーの着脱を行うことができる。
【発明を実施するための最良の形態】
【００１０】
以下、本発明の実施形態を、図面を参照しながら詳細に説明する。
【００１１】
図１には、本実施形態に係るキー保持装置が適用されたキー管理ケースの概略斜視図が示され、図２には、キー管理ケースを開いた状態の概略斜視図が示されている。これらの図において、キー管理ケース１０は、前面側をキーＫの出し入れ口１１とするケース本体１２と、このケース本体１２に連結されて出し入れ口１１を開閉する蓋体１３と、前記ケース本体１２内に配置されたキー保持装置１５とを備えて構成されている。
【００１２】
ケース本体１２は、平面形状が略長方形状をなす底壁１７と、この底壁１７の長手方向両側に位置する左右一対の側壁１８と、当該側壁１８の上端間に位置する頂壁１９と、これら底壁１７、側壁１８及び頂壁１９の後端に位置する後壁２０とにより構成されている。
【００１３】
前記蓋体１３は、右側の側壁１８に蝶番２１等を介してヒンジ連結されており、その正面側には、閉蓋時のロック及びロック解除を行う施錠機構部２２が設けられている。また、蓋体１３の内面側には、前記キー保持装置１５と実質的に同一の装置が構成できるようになっている。但し、ここでは、説明の便宜上、前記ケース本体１２内に配置されたキー保持装置１５について説明するものとする。
【００１４】
前記キー保持装置１５は、前記ケース本体１２内に配置されたパネル２４と、このパネル２４に中間部材２５（図３（Ａ）参照）を介して着脱自在に設けられたキーハンガー２６とにより構成されている。パネル２４は、平面形状が略方形をなす板状体により構成されており、その表裏各面が前後に向く姿勢でケース本体１２内に配置される。ここで、パネル２４の面内には、図２及び図４に示されるように、前記中間部材２５の上下両側に係り合う上下一対の被係り部２７、２８と、これら被係り部２７、２８間に位置する位置規制部２９が形成されている。上下の被係り部２７、２８は、パネル２４の面を貫通するとともに左右幅が上下幅よりも長い角穴により構成されている。本実施形態では、下部側の被係り部２８の上下開口幅は、上部側の被係り部２７のそれよりも大きい寸法に設定されている。更に、図６に示されるように、上下の被係り部２７、２８における左右の下部コーナーには、被係り部２７、２８内において後方に段部３１Ａを形成するための非貫通部３１がそれぞれ形成されている。また、前記位置規制部２９は有底の凹溝により構成され、その溝の延出方向が左右方向となる向きに設けられている。なお、パネル２４は、その前後各面にキーハンガー２６を支持するために、後面側にも被係り部２７、２８と、位置規制部２９が左右方向に位置をずらして形成されている。従って、パネル１４の後面側に形成される位置規制部２９は前面側には表れないこととなる。
【００１５】
前記中間部材は、図４，５，７、８に示されるように、キーハンガー２６の後面上下方向に沿う略縦長長方形の片状をなす本体部３３と、当該本体部３３の上下に設けられて前記被係り部２７、２８にそれぞれ係り合う上部係り部３５及び下部係り部３６と、本体部３３における後面側で各係り部３５、３６間に位置するとともに、本体部３３の幅方向に向けられたリブ状の位置決め部材３８とにより構成され、当該位置決め部材３８が、前記位置規制部２９に嵌合するようになっている。
【００１６】
前記上部係り部３５は、本体部３３と交差する面内で前後方向に向けられた上平面３９と、この上平面３９の前端側に連なる起立面４０と、上平面３９の後部幅方向両側から同一平面内の幅方向外側に突出する左右一対の上部爪４２、４２とを備えた形状に設けられている。この一方、前記下部係り部３６は、前記本体部３３の下部において、側面視略蛇腹状に連設されている。この下部係り部３６の下部前端には、前記起立面４０と略同一の鉛直面内に位置する垂下面４４が形成されている一方、前記本体部３３の面位置よりも後方となる湾曲領域において、幅方向両側に左右一対の下部爪４５、４５が形成されている。これら下部爪４５は、下部係り部３６の下部幅方向寸法を上部側よりも小さく設定することによって形成することができる。
【００１７】
前記キーハンガー２６は、図３及び図５に示されるように、前記パネル２４の左右方向に延びる長さを備えているとともに、後面側が略コ字状に開放する断面形状を備えたハンガー本体４７と、このハンガー本体４７の前面側下部において、長手方向に沿って間隔をおいて配置されたキー保持部としてのフック部４８と、これらフック部４８の上部に設けられた見出しカバー４９とにより構成され、前記フック部４８に、キーＫを支持するキーホルダーＨを吊り下げできるようになっている。ここで、見出しカバー４９は、透光性を有する材料によって形成されており、当該見出しカバー４９とハンガー本体４７との間に、図示しない見出しシートが配置される。また、ハンガー本体４７における後面側の上下には、前記中間部材２５の起立面４０及び垂下面４４の受容部５０、５１が形成されており、これにより、ハンガー４７の後面側に中間部材２５が取付可能となっている。
【００１８】
前記フック部４８は、図５に示されているように、側面視略Ｕ字状となるようにハンガー本体４７に一体成形されている。このフック部４８は前端側をなす上向き片４８Ａを備えており、この上向き片４８ＡがキーホルダーＨの挿入孔５３に挿入されることとなる。上向き片４８Ａの下部外面側には、挿入孔５３に上向き片２８Ａを挿入してキーホルダーＨが所定位置に吊り下げられた状態、すなわち、キーホルダーＨが略鉛直面内に位置する状態で、当該キーホルダーＨの脱落を規制する凸部からなる脱落規制部５２が形成されている。
【００１９】
前記キーホルダーＨは、図９ないし図１１に示されるように、フック部４８に支持された状態で上下に長い略方形の板状部５５と、この板状部５５の後面側上部中央に設けられた閉ループ状のキーリング支持部５６と、板状部５５の後面側でキーリング支持部５６の下方に設けられた姿勢調整部５８とを備えて構成されている。
【００２０】
板状部５５は、個々のキーホルダーＨに支持されるキーＫの属性を表示するための見出し片５９が前面側に装着できるようになっており、その上部に、前述した挿入孔５３が形成されている。この挿入孔５３は、板状部５５の短寸幅方向すなわち図１０中左右方向に長い略方形の孔として形成され、当該挿入孔５３の上部形成縁５３Ａ及び下部形成縁５３Ｂは、内側に向かって、より具体的には互いの前記形成縁に向かって曲面状に膨出した形状に設けられている。ここで、各形成縁５３Ａ、５３Ｂ間の距離Ｌ（図１０参照）は、前記脱落規制部５２が形成された部位におけるフック部４８の厚みＴ（図５参照）よりも小さく設定され、これにより、フック部４８が挿入孔５３に挿入されて、前記キーホルダーＨの板状部５５の面が略鉛直面内に位置するように吊り下げられた状態で、天地が反転するようなことがあっても、キーホルダーＨの脱落が規制されるようになっている。
【００２１】
前記キーリング支持部５６は、図１０（Ｂ）中紙面直交方向すなわち板状部５５の幅方向に開通するように形成されている。また、前記姿勢調整部５８は、図１１に示されるように、板状部５５の長手方向（上下方向）に沿って延びる突条部６０により構成され、当該突条部６０は、板状部５５の面に対して傾斜部６０Ａを介して隆起する形状となっている。
【００２２】
前記パネル２４は、図２及び図１２〜図１４に示されるように、当該パネル２４の幅方向一端側（図２中左端側）が前後方向に回転可能となるように幅方向他端側（同図中右端側）が回転支持部６４を介して前記ケース本体１２内に支持されている。回転支持部６４は、前記幅方向他端側（回動支点側）の上下に一端が取り付けられた上下一対のアーム６５、６６と、前記ケース本体１２の頂壁１９と底壁１７に設けられて前記上下のアーム６５、６６の他端を平面内で回転可能に支持する上下一対の支持軸６８、６９とにより構成されている。また、各支持軸６８、６９には前記パネル２４の回転動作に伴って回転可能となる上下一対のカバー部材７０、７１が支持され、当該カバー部材７０、７１は、前記パネル２４の一端側（自由端側）を前記出し入れ口１１から前方に引き出したときに、前記回動支点側の上部及び下部と、ケース本体１２の頂壁１９及び底壁１７との間をそれぞれ跨ぐように移動する一方、前記パネル２４をケース本体１２内に戻したときに、前記頂壁１９の下面側及び底壁１７の上面側にそれぞれ退避するように設けられている。
【００２３】
前記アーム６５、６６は、前記カバー部材７０の面内に位置するように設定されている。また、カバー部材７０、７１は、上下対称形状に設けられているとともに、平面視略扇形の平面部７０Ａ、７１Ａを備えた形状とされ、その中心角側と孤の端部間に延びる両側の直線部７２に、前記アーム６５、６６が平面内で回転するときに当該アーム６５、６６に係り合う屈曲部７４が形成されている。
【００２４】
次に、前記キー管理ケース１０におけるキー保持装置１５の着脱要領、キーＫの支持操作、パネル２４を出し入れする際のカバー部材７０、７１の動作について説明する。
【００２５】
先ず、キー保持装置１５をパネル２４に装着する場合には、予め、キーハンガー２６の後面側に、中間部材２５を取り付けておく。この取り付けは、中間部材２５の起立面４０及び垂下面４４をハンガー本体４７の受容部５０、５１にそれぞれ嵌合させることによって行うことができる。なお、中間部材２５は、キーハンガー２６の長手方向両側に一つずつ取り付ければよいが、その間に付加的に取り付けてもよい。
【００２６】
このようにしてキーハンガー２６に中間部材２５を取り付けた状態で、図８（Ａ）に示されるように、キーハンガー２６（図示省略）を手に持って中間部材２５をパネル２４側に向ける。そして、同図（Ｂ）に示されるように、上部係り部３５側を上部側の被係り部２７内に差し込み、上部爪４２を段部３１Ａに引っ掛ける。
次いで、同図（Ｃ）に示されるように、下部係り部３６を下部側の被係り部２８内に挿入する。下部係り部３６が被係り部２８内に挿入されようとするときには、中間部材２５の本体部３３の面よりも後方に位置する下部爪４５が段部３１Ａを形成している非貫通部３１の上端に接するため、上部係り部３５と下部係り部３６間の距離を短くするように本体部３３が弓なりの弾性変形を伴いながら下部係り部３６も縮むように弾性変形する。
そこで、本体部３３を押し込むようにキーハンガー２６をパネル２４側に押圧することで、前記上部爪４２，下部爪４５が上下の非貫通部３１をそれぞれ乗り越えて段部３１Ａに係り合うと同時に、位置決め部材３８が位置規制部２９に嵌り込むこととなる（図８（Ｄ）参照）。これにより、上部爪４２及び下部爪４５は、段部３１Ａによって前方への移動が規制され、位置決め部材３８と位置規制部２９との嵌合によって上下方向及び後方への移動が規制されることとなる。
なお、キーハンガー２６をパネル２４から取り外すときは、当該キーハンガー２６を持ち上げるようにして前述の動作と反対の動作を行えばよい。
【００２７】
キーリングＫＲを介してキーＫが支持されたキーホルダーＨをキーハンガー２６に引っ掛ける操作は、図１５に示されるように、キーＫがキーホルダーＨよりも後方側となるようにして、キーホルダーＨの挿入孔５３をフック部４８の上向き片４８Ａに引っ掛ける。そして、上向き片４８Ａの挿入孔５３Ａへの挿入が進むと（図１６参照）、前述した長さＬと厚みＴとの関係によって、脱落規制部５２に当接して以後の挿入が規制されることとなる。
ここで、挿入する力を強制的に付与すると、クリック動作を伴って下部形成縁５３Ｂが脱落規制部５２を乗り越えることとなる（図１７参照）。
【００２８】
この際、キーＫは、キーリングＫＲを介してキーホルダーＨに支持されているため、当該キーホルダーＨの面に対して略直交する向きで、キーホルダーＨとパネル面との間に挟まれる状態となる場合があり、これによって、キーホルダーＨが傾いた姿勢となり、見出し片５９の表示を見難くすることとなる。本実施形態では、キーホルダーＨの板状部５５の後面側に、姿勢調整部５８を構成する突条部６０が傾斜部６０Ａを介して形成されているため、当該傾斜部６０Ａ上をキーＫの外周端縁が強制的に滑るように作用し、これにより、キーＫが鉛直面内で回転してキーホルダーＨと共に略平行になり、上記挟まれた状態を回避して略鉛直面内に位置させることとなり、キーホルダーＨを正面側に臨ませることで見出し片５９の表示を正面側から視認し易くなる（図１８、１９参照）。
【００２９】
フック部４８に完全な状態で支持されたキーホルダーＨは、何らかの要因で天地が逆になるようなことがあっても、脱落規制部５２の存在によって、キーホルダーＨがフック部４８から抜け出てしまうような不都合は生じない。
【００３０】
ところで、前記パネル２４の後面側にキー保持装置１５を配置した場合、或いは、後壁２０の前面をも利用してキー保持装置１５を配置した場合には、パネル２４をケース本体１２の出し入れ口１１から前方に引き出さなければならない（図２２参照）。この引き出し操作は、パネル２４の自由端側の前面下部に取り付けられた把手８０を摘んで手前側に引き出す操作によって行うことができる。
引き出し操作力を付与すると、パネル２４は、支持軸６８，６９に回転可能に取り付けられたアーム６５、６６を介して回転可能となり、カバー部材７０、７１は、退避位置（図２０参照）を維持したまま、パネル２４とアーム６５、６６が先行して回転動作することとなる（図２１参照）。そして、回転角度が更に進むと、アーム６５、６６がカバー部材７０、７１の手前側に位置している屈曲部７４に係り合い、この係り合いに引っ張られてカバー部材７０、７１が頂壁１９と、パネル２４の回動支点側の上端及び下端との間を跨ぐように移動する（図２２参照）。
【００３１】
従って、この状態で、手前側に引き出されたパネル２４をケース本体１２内に戻そうとするときに、その回動支点側には、カバー部材７０、７１が、いわば邪魔板のように存在するため、当該部位に指先を入り込ませる余地がなく、前記戻し操作に際して指先を挟み込んでしまうような不都合を回避することができる。引き出されたパネル２４を戻すときの初期の段階では、前記カバー部材７０、７１は、図２２に示された位置を保ち、戻し角度が一定以上となったとき、つまり、前記アーム６５、６６が奥行き側の屈曲部７４に係り合ったときに、当該アーム６５、６６の回転動作に追従して元の退避位置に戻るように回転する。
【００３２】
従って、このような実施形態によれば、キーハンガー４７をパネル２４に装着した状態において、キー管理ケース１０を落下させてしまったような場合でも、キーハンガー４７がパネル２４から不用意に脱落することがないとともに、キーホルダーＨも脱落することなくフック部４８に支持された状態を安定して保つことができる、という効果を得る。
【００３３】
また、キーハンガー４７は、中間部材２５の本体部３３が弾性変形することによって上部係り部３５及び下部係り部３６が被係り部２７、２８にそれぞれ係り合うものであるため、着脱時にキーハンガー４７を上下方向に大きく移動させる必要がなく、パネル２４の上端直近位置にキーハンガー４７を取り付ける構成としても何らの支障も生じない。従って、パネル２４面内の有効利用を図ることが可能となる。
【００３４】
更に、キーホルダーＨをフック部４８に支持させる際に、キーＫの向きを調整可能としたから、パネル２４とキーホルダーＨの吊り下げ位置との間の寸法も小さく設定でき、キー管理ケース１０の厚み方向のスペースも有効に利用することができる。
【００３５】
また、パネル２４を出し入れ口１１の前方に引き出したときに、その回動支点側と頂壁１９との間にカバー部材７０、７１が位置するように設けられているため、パネル収納時に回動支点側が指先を挟んでしまうような危険性も回避可能となる。
【００３６】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００３７】
例えば、前記実施形態では、フック部４８に凸部を形成することによって脱落規制部５２を形成したが、フック部４８に凹部を設ける一方、挿入孔５３の形成縁に、前記凹部に嵌合する凸部を形成して脱落を規制することも可能である。
【図面の簡単な説明】
【００３８】
【図１】実施形態に係るキー管理ケースの概略斜視図。
【図２】キー管理ケースの蓋体を開いた状態を示す概略斜視図。
【図３】（Ａ）は、キーハンガーが装着された状態を示す要部正面図、（Ｂ）はキーハンガーの後面側に中間部材が取り付けられた状態を示す背面図。
【図４】被係り部を備えたパネル要部と中間部材との対応関係を示す概略斜視図。
【図５】パネルにキーハンガーが装着された状態を示す縦断面図。
【図６】（Ａ）はパネルの要部正面図、（Ｂ）は図６（Ａ）のＡ−Ａ線断面図、（Ｃ）は図６（Ａ）のＢ−Ｂ線断面図。
【図７】（Ａ）は中間部材の正面図、（Ｂ）はその右側面図。
【図８】（Ａ）〜（Ｄ）は中間部材をパネルに係り合わせる際の動作説明図。
【図９】キーホルダーを介してキーハンガーにキーが支持された状態を示す断面図。
【図１０】（Ａ）はキーホルダーの正面図、（Ｂ）はその右側面図。
【図１１】（Ａ）はキーホルダーの背面図、（Ｂ）はその底面図。
【図１２】キー管理ケースの内部部分正面図。
【図１３】パネルを回転動作させるための回転支持部を示す上部側平面図。
【図１４】パネルを回転動作させるための回転支持部を示す下部平面図。
【図１５】キーホルダーをフック部に引っ掛ける初期動作を示す縦断面図。
【図１６】キーホルダーの挿入孔が脱落規制部を乗り越える直前を示す縦断面図。
【図１７】前記脱落規制部を乗り越えた状態を示す縦断面図。
【図１８】キーホルダーが正しい姿勢でフック部に支持された状態を示す縦断面図。
【図１９】キーが姿勢調整部によって回転する動作を示す横断面図。
【図２０】パネルを出し入れ口から引き出す前の状態を示す要部平面図。
【図２１】パネルを出し入れ口から引き出した中間状態を示す要部平面図。
【図２２】パネルを出し入れ口から完全に引き出してカバー部材が追従移動した状態を示す要部平面図。
【符号の説明】
【００３９】
１０  キー管理ケース
１２  ケース本体
１５  キー保持装置
５３  挿入孔
５２  脱落規制部
５３Ａ  上部形成縁
５３Ｂ  下部形成縁
Ｈ  キーホルダー
【図１】
2009084852.tif 000003
【図２】
2009084852.tif 000004
【図３】
2009084852.tif 000005
【図４】
2009084852.tif 000006
【図５】
2009084852.tif 000007
【図６】
2009084852.tif 000008
【図７】
2009084852.tif 000009
【図８】
2009084852.tif 000010
【図９】
2009084852.tif 000011
【図１０】
2009084852.tif 000012
【図１１】
2009084852.tif 000013
【図１２】
2009084852.tif 000014
【図１３】
2009084852.tif 000015
【図１４】
2009084852.tif 000016
【図１５】
2009084852.tif 000017
【図１６】
2009084852.tif 000018
【図１７】
2009084852.tif 000019
【図１８】
2009084852.tif 000020
【図１９】
2009084852.tif 000021
【図２０】
2009084852.tif 000022
【図２１】
2009084852.tif 000023
【図２２】
2009084852.tif 000024